(57)【要約】【課題】浴槽の温水に継続的に炭酸ガスを供給できしかも手軽に使用できる炭酸入浴装置の提供。【解決手段】炭酸ガスが封入された炭酸ガスボンベ３と、前記炭酸ガスボンベ３から流出する炭酸ガスを浴槽内の湯水中に噴出する噴出部４とが、浴槽内の湯水中に水没させる単一の容器５に収容されている炭酸入浴装置。【選択図】図３
0003200120.tif 000002
【実用新案登録請求の範囲】
【請求項１】
炭酸ガスが封入された炭酸ガスボンベと、前記炭酸ガスボンベから流出する炭酸ガスを浴槽内の湯水中に噴出する噴出部とを備えた炭酸入浴装置であって、
前記炭酸ガスボンベ及び前記噴出部が、浴槽内の湯水中に水没させる単一の容器に収容されている炭酸入浴装置。
【請求項２】
前記容器は、前記炭酸ガスボンベを前記容器におけるボンベ保持位置に位置決めする位置決め部を備えている請求項１に記載の炭酸入浴装置。
【請求項３】
前記容器は、前記炭酸ガスボンベを収容するボンベ収容部と、前記噴出部を支持する支持部とを分離自在に備え、さらに、前記ボンベ収容部及び前記支持部との間を仕切る仕切体を備え、
前記仕切体は、前記炭酸ガスボンベと前記噴出部とに亘るガス通流路が貫通する流路貫通部を有して、前記ボンベ収容部を密閉する板状部材にて構成され、
前記ボンベ保持位置は、前記流路貫通部に対応した位置である請求項２に記載の炭酸入浴装置。
【請求項４】
前記炭酸ガスボンベに着脱自在でかつ装着状態で炭酸ガスを前記炭酸ガスボンベ内の圧力よりも減圧した状態で外部に通流させる減圧部を備え、
前記位置決め部は、前記炭酸ガスボンベに装着されている前記減圧部に当接して前記炭酸ガスボンベの軸心回りの回転を規制する回転規制部を有している請求項２又は３に記載の炭酸入浴装置。
【請求項５】
前記位置決め部は、前記炭酸ガスボンベを支持するボンベ支持体を備え、
前記ボンベ支持体は、前記炭酸ガスボンベの外形状に対応した形状の凹入部が形成されて、前記凹入部に前記炭酸ガスボンベの一部が嵌まり込んだ状態でかつ前記炭酸ガスボンベを軸心方向の移動を許容する状態で支持する請求項４に記載の炭酸入浴装置。
【請求項６】
前記ボンベ支持体は、熱伝導率が０．０２Ｗ／（ｍ・ｋ）以上０．０５Ｗ／（ｍ・ｋ）以下の断熱材料にて構成されている請求項５記載の炭酸入浴装置。
【考案の詳細な説明】
【技術分野】
【０００１】
本考案は、浴槽に貯められた温水に炭酸ガスを供給する炭酸入浴装置に関する。
【背景技術】
【０００２】
このような、炭酸入浴装置に関する従来技術として、炭酸ガスの原料となる炭酸水素ナトリウム等の炭酸塩を含有する固形の入浴剤により炭酸ガスを供給するものがある（例えば、特許文献１参照）。固形の入浴剤を浴槽内の温水に投入することで入浴剤に含まれる有機酸及び炭酸塩が浴槽の温水と化学変化することにより、固形の入浴剤に含まれる炭酸塩由来の炭酸ガスが浴槽内の温水に供給される。固形の入浴剤による炭酸ガスの供給は、手軽に炭酸浴を楽しめることもあり、現在、一般家庭において多く利用されている。
一方で、固形の入浴剤による炭酸ガスの供給量は、錠剤の大きさによる制限がある。そこで、より多くの炭酸ガスを浴槽の温水に供給することを目的として、炭酸ガスボンベから供給される炭酸ガスを浴槽の温水に供給する炭酸入浴装置が提案されている（例えば、特許文献２）。
特許文献２の炭酸入浴装置では、炭酸ガスボンベと噴出部とが別体に構成されており、両者が供給管にて接続されている。設置状態においては、炭酸ガスボンベは浴槽外に設置され、噴出部が浴槽内の湯水中に設置され、浴槽外の炭酸ガスボンベから供給される炭酸ガスが供給管を通って浴槽内の噴出部から噴出されることで、浴槽内の湯水に炭酸ガスが供給される。
特許文献２の炭酸入浴装置では、炭酸ガスボンベに貯留されている炭酸ガスを供給源とするため、継続的に浴槽内の温水に炭酸ガスを供給することが可能である。そのため、固形の入浴剤による限定的な炭酸ガスの供給方法に比べ、より多くの炭酸ガスを浴槽内の温水に供給することが可能であり、温浴効果がより期待できる点で優れている。
【先行技術文献】
【特許文献】
【０００３】
【特許文献１】特開２０１３−１３９３９６号公報
【特許文献２】特開２００５−３１２７７８号公報
【考案の概要】
【考案が解決しようとする課題】
【０００４】
しかしながら、従来の炭酸入浴装置は、炭酸ガスボンベと噴出部とが別体に構成されており、両者が供給管にて接続されているため、供給管が浴槽の縁に掛かる状態で炭酸ガスボンベと噴出部とが浴槽の内外に亘って設置されることになり、炭酸入浴装置の設置に手間が掛かり、取り扱いが不便である。
また、浴槽外部に設置される炭酸ガスボンベは、浴室内に設置される物品としては大きさが大きく、また、重量も大きい。そのため、浴室内の空間が大きく占有され浴室の利便性を低下させるとともに、重量の重い炭酸ガスボンベの交換作業は、例えば非力な女性や老人単独で行う場合は困難を伴う。
このようなことから、従来の炭酸ガス入浴装置は、一般家庭の浴槽においては導入し難いという問題があった。
【０００５】
本考案は、上記実情に鑑みて為されたものであって、その目的は、浴槽の温水に継続的に炭酸ガスを供給できしかも手軽に使用できる炭酸入浴装置を提供する点にある。
【課題を解決するための手段】
【０００６】
この目的を達成するために、本考案に係る炭酸入浴装置の第１特徴構成は、炭酸ガスが封入された炭酸ガスボンベと、前記炭酸ガスボンベから流出する炭酸ガスを浴槽内の湯水中に噴出する噴出部とを備えた炭酸入浴装置において、
前記炭酸ガスボンベ及び前記噴出部が、浴槽内の湯水中に水没させる単一の容器に収容されている点にある。
【０００７】
本特徴構成によれば、炭酸ガスボンベから流出する炭酸ガスは噴出部から浴槽内の湯水中に噴出され、浴槽内の湯水に炭酸ガスが溶解し炭酸浴が可能となる。
しかも、炭酸ガスは炭酸ガスボンベを供給源とするため、固形の入浴剤による炭酸ガスの供給に比べ、より多くの炭酸ガスを継続して浴槽の温水に供給することが可能である。
さらに、本特徴構成によれば、炭酸ガスボンベ及び噴出部は単一の容器に収容されているため、入浴時又は入浴前に当該単一の容器を浴槽内の底部等、浴槽内の湯水に浸すだけの簡単な作業により装置を設置することができる。
要するに、本特徴構成によれば、浴槽の温水に継続的に炭酸ガスを供給できしかも手軽に使用できる炭酸入浴装置を得るに至った。
【０００８】
本考案に係る炭酸入浴装置の第２特徴構成は、前記容器は、前記炭酸ガスボンベを前記容器におけるボンベ保持位置に位置決めする位置決め部を備えている点にある。
【０００９】
本特徴構成によれば、位置決め部により炭酸ガスボンベが容器におけるボンベ保持位置に位置決めされるので、炭酸ガスボンベから流出する炭酸ガスの流路を規定し易くなり、炭酸ガスを噴出部まで適切に通流させることが可能となる。
【００１０】
本考案に係る炭酸入浴装置の第３特徴構成は、前記容器は、前記炭酸ガスボンベを収容するボンベ収容部と、前記噴出部を支持する支持部とを分離自在に備え、さらに、前記ボンベ収容部及び前記支持部との間を仕切る仕切体を備え、前記仕切体は、前記炭酸ガスボンベと前記噴出部とに亘るガス通流路が貫通する流路貫通部を有して、前記ボンベ収容部を密閉する板状部材にて構成され、前記ボンベ保持位置は、前記流路貫通部に対応した位置である点にある。
【００１１】
本特徴構成によれば、炭酸ガスボンベを収容するボンベ収容部と、噴出部を支持する支持部とを分離させることができるので、両者を分離した状態とすることで、ボンベ収容部に収容された使用済みのボンベを新しいボンベに交換することができる。
また、容器が備える仕切体によりボンベ収容部及び支持部が仕切られ、ボンベ収容部が密閉されるので、浴槽の湯水中に設置した状態においてボンベ収容部に湯水が浸入することを抑制できる。ボンベ収容部が密閉されても、仕切体はガス通流路が貫通する流路貫通部を有しているため、炭酸ガスボンベから流出した炭酸は仕切体の流路貫通部を経由して噴出部まで通流させることができる。
このように、本特徴構成によれば、炭酸ガスボンベを交換できる分離構造でありながらボンベ収容部への湯水の浸入を防止できる。
【００１２】
本考案に係る炭酸入浴装置の第４特徴構成は、前記炭酸ガスボンベに着脱自在でかつ装着状態で炭酸ガスを前記炭酸ガスボンベ内の圧力よりも減圧した状態で外部に通流させる減圧部を備え、前記位置決め部は、前記炭酸ガスボンベに装着されている前記減圧部に当接して前記炭酸ガスボンベの軸心回りの回転を規制する回転規制部を有しているれている点にある。
【００１３】
本特徴構成によれば、炭酸ガスボンベから流出する炭酸ガスは、減圧部により減圧されて外部に通流するので、噴出部において噴出させる場合に適切な圧力の炭酸ガスを噴出部に通流させることができる。
しかも、位置決め部が備える回転規制部が、炭酸ガスボンベに装着されている減圧部に当接して炭酸ガスボンベの軸心回りの回転を規制するので減圧部の姿勢が安定する。そのため、減圧部から流出する減圧された炭酸ガスを、例えば、流路貫通部に対して炭酸ガスを通流させる場合のように、一定の方向に向けて通流させたい場合に有利である。
【００１４】
本考案に係る炭酸入浴装置の第５特徴構成は、前記位置決め部は、前記炭酸ガスボンベを支持するボンベ支持体を備え、前記ボンベ支持体は、前記炭酸ガスボンベの外形状に対応した形状の凹入部が形成されて、前記凹入部に前記炭酸ガスボンベの一部が嵌まり込んだ状態でかつ前記炭酸ガスボンベを軸心方向の移動を許容する状態で支持する点にある。
【００１５】
本特徴構成によれば、位置決め部が備える回転規制部が、炭酸ガスボンベに装着されている減圧部に当接して炭酸ガスボンベの軸心回りの回転が規制され、炭酸ガスボンベが、一部が凹入部に嵌まり込んだ状態でかつ軸心方向の移動が許容された状態でボンベ保持位置に位置決めされるので、減圧部を装着した状態の炭酸ガスボンベを適切に位置決めできる。
【００１６】
本考案に係る炭酸入浴装置の第６特徴構成は、前記ボンベ支持体は、熱伝導率が０．０２Ｗ／（ｍ・ｋ）以上０．０５Ｗ／（ｍ・ｋ）以下の断熱材料にて構成されている点にある。
【００１７】
本特徴構成によれば、断熱材料にて構成されたボンベ支持体にて炭酸ガスボンベが支持されるので、炭酸ガスボンベから炭酸ガスが減圧されながら流出するに伴って炭酸ガスボンベの表面温度が低下しても、断熱材料にて構成されたボンベ支持体により、単一の容器におけるボンベ収容部との熱の移動が抑制される。そのため、ボンベ収容部の温度低下を防止でき、もって容器周辺の湯水の温度低下を防止できる。
【図面の簡単な説明】
【００１８】
【図１】炭酸入浴装置の設置状態を示す図
【図２】炭酸入浴装置の全体斜視図
【図３】炭酸入浴装置の分解斜視図
【図４】ボンベ収容部に炭酸ガスボンベを収容した状態における平面図
【図５】炭酸入浴装置の一部縦断側面図
【考案を実施するための形態】
【００１９】
本考案に係る炭酸入浴装置の実施形態を図面に基づいて説明する。
図１は、本実施形態に係る炭酸入浴装置１の設置状態を例示する斜視図である。図１に示すように炭酸入浴装置１は、浴槽２に貯留された湯水Ｗ中に水没させて使用される。炭酸入浴装置１は、以下に詳述するように、炭酸ガスが封入された炭酸ガスボンベ３及び炭酸ガスボンベ３から流出する炭酸ガスＧを浴槽２内の湯水Ｗ中に噴出する噴出部４が、単一の容器５に収容されている。
【００２０】
図１及び図２に示すように、容器５は、炭酸ガスボンベ３を収容するボンベ収容部５ｂと、噴出部４を支持する支持部５ａとを、設置状態において、好ましくは上下に並ぶ状態で備えている。図３にも示すように、支持部５ａとボンベ収容部５ｂとは分離自在であり、設置状態で水平方向となる軸心周りに揺動自在な留め具６ａにより被留め部６ｂを締め上げることで上下方向に締め付けられた状態で一体となっている。つまり、互いに分離自在な支持部５ａ及びボンベ収容部５ｂが相互に隣接して配置された状態で、固定部６としての留め具６ａ及び被留め部６ｂにより、設置状態における上下方向に締め付けられることで単一の容器５を形成している。
【００２１】
固定部６による固定機能は、図示された留め具６ａ及び被留め部６ｂの他、ネジによる固定や、係合部とこの係合部が係合する係合穴による固定や、支持部５ａ及びボンベ収容部５ｂ相互の嵌合又は螺合による固定など種々の構成により実現してよい。
【００２２】
図３及び図５によく示されているように、容器５は、さらに、ボンベ収容部５ｂ及び支持部５ａとの間を仕切る仕切体としての中仕切７を備えている。中仕切７は、炭酸ガスボンベ３と噴出部４とに亘るガス通流路Ｌが貫通する流路貫通部７ｔを有して、ボンベ収容部５ｂを密閉する板状部材にて構成されている。中仕切７の外周部には中仕切７とボンベ収容部５ｂとの隙間を充填してボンベ収容部５ｂの気密性を向上させるための隙間充填部材としてのパッキン８が取り付けられている。
【００２３】
中仕切７における流路貫通部７ｔには、流路接続体９が設けられている。流路接続体９は、図５に示すように、設置状態において、ガス通流路Ｌのうち中仕切７よりもボンベ収容部５ｂ側に位置する上流側通流路Ｌｕと、ガス通流路Ｌのうち中仕切７よりも支持部５ａ側に位置する下流側通流路Ｌｄとを連結しており、流路接続体９は、ガス通流路Ｌの一部である接続流路Ｌｃを形成している。流路接続体９は、少なくとも流路貫通部７ｔとの接触箇所においては弾性を有する構成とするのが好ましい。
【００２４】
図５に示すように、上流側通流路Ｌｕは、炭酸ガスボンベ３の先端部に着脱自在に取り付けられるレギュレータ１０の内部に形成された流路（図示せず）、及び、レギュレータ１０が備える吐出ノズル１０ａの内部に形成された流路を有している。また、下流側通流路Ｌｄは、噴出部４の両端部に着脱自在に取り付けられている一対のキャップ１２（第１キャップ１２ａ及び第２キャップ１２ｂ）のうち炭酸ガス通流方向で上流側に位置する第１キャップ１２ａと流路接続体９とを接続する通流ホース１１の内部に形成された流路、及び、第１キャップ１２ａの内部に形成された流路、円筒状の多孔質材料で構成された噴出部４の内部に形成された流路（図示せず）を有している。
【００２５】
このような構成により、炭酸入浴装置１は、設置状態においては、噴出部４の存在領域を含めた支持部５ａ内の空間に湯水Ｗが充満しながらボンベ収容部５ｂ内には湯水Ｗが浸入しないようになっている。さらに、固定部６による固定を解除して、支持部５ａ、ボンベ収容部５ｂ、及び、中仕切７を分離することで、使用済み炭酸ガスボンベ３をボンベ収容部５ｂから取り出して新しい炭酸ガスボンベ３に交換できるようになっている。
【００２６】
支持部５ａは、噴出部４の外周面の少なくとも一部、好ましくは設置状態で上方側の半分が露出した状態で、噴出部４を支持している。本実施形態では、噴出部４は略円柱状の外形を有しているため、当該円柱の軸心方向視で上方側の半円部分に相当する外周面が露出した状態で、支持されている。
支持部５ａがこのような支持形態により噴出部４を支持することで、噴出部４から噴出された炭酸ガスＧは、支持部５ａの構成部分とほとんど干渉することなく湯水Ｗ内に放出される。これにより、噴出部４から湯水Ｗ内に細泡状態で噴出された炭酸ガスＧは、細泡状態が維持されたまま湯水Ｗ内に拡散し、湯水Ｗ内への炭酸ガスＧの溶解が促進され、浴槽２内の湯水Ｗにおける炭酸ガスＧの溶解度の向上を図ることができる。
【００２７】
また、支持部５ａは、噴出部４の軸心方向の移動及び上下方向の移動が規制された状態で、噴出部４を支持するのが好ましい。本実施形態では、支持部５ａにおける噴出部４の下方に位置する受け部分１３が、噴出部４を下方から支持可能に配置されており、噴出部４の軸心方向視における噴出部４上下方向での位置が、支持部５ａにおける噴出部４の両端部に位置する一対の縦面部分１４と受け部分１３との間に位置することで、噴出部４の上下方向の移動が規制されている。また、噴出部４の軸心方向で一対の縦面部分１４の外側に一対のキャップ１２が位置することにより、噴出部４の軸心方向の移動が規制されている。
【００２８】
なお、これらの移動の規制は、数ミリ程度の移動を許容する。そのため、例えば、噴出部４は、噴出部４に作用する浮力及び噴出される炭酸ガスＧにより噴出部４自体が受け部分１３から離間した状態となり得る状態で支持されている。また、一対のキャップ１２を外すことで噴出部４を支持部５ａから離脱させることがきるので、使用者は噴出部４を交換することが可能である。
【００２９】
噴出部４は、長尺状の多孔質材料にて構成されている。本実施形態では、セラミックフィルタを採用している。噴出部４は、長手方向に延在する空間が内部に形成された中空構造となっており、全体として筒形状となっている。これにより噴出部４の長手方向の端部まで炭酸ガスＧが通流し易く、噴出部４の長手方向の全体から炭酸ガスＧを噴出させ易くなっている。
【００３０】
図３〜図５に示すように、ボンベ収容部５ｂは、先端部にレギュレータ１０が装着された状態の炭酸ガスボンベ３を収容する。レギュレータ１０は、炭酸ガスボンベ３に着脱自在でかつ装着状態で炭酸ガスＧを炭酸ガスボンベ３内の圧力よりも減圧した状態で外部に通流させる減圧部として機能する。
【００３１】
本実施形態では、レギュレータ１０の吐出二次圧力は０．３ＭＰａとしている。レギュレータ１０の吐出二次圧力は、噴出部４から炭酸ガスＧが良好に噴出する値に調整すればよく。好ましくは、０．２ＭＰａ〜０．５ＭＰａとすればよい。また、本実施形態の炭酸ガスボンベ３は、未使用時の炭酸ガス内容量が７４ｇであり、摂氏０度１気圧の標準状態で約３７リットルの炭酸ガスＧが流出し、噴出持続時間としては４０分以上確保できている。
【００３２】
図５に示すように、レギュレータ１０のボンベ取り付け側の端部には、炭酸ガスボンベ３の先端部に形成された雄ネジ部３ａと螺合する雌ネジ部が内周面に形成されたボンベ取付部１０ｂが設けられている。ボンベ取付部１０ｂの奥底には針状のノズル（図示せず）が設けられており、レギュレータ１０のボンベ取付部１０ｂに炭酸ガスボンベ３をねじ込むことで、炭酸ガスボンベ３の先端部に形成された封止板（図示せず）が針状ノズルにより突き破られ、炭酸ガスボンベ３内の炭酸ガスＧが内部の圧力により下流側通流路Ｌｄに流出する。
【００３３】
図４及び図５によく示されているように、ボンベ収容部５ｂは位置決め部１５を備えており、炭酸ガスボンベ３を容器５におけるボンベ保持位置に位置決めした状態で支持できようになっている。ここで、ボンベ保持位置は、中仕切７における流路貫通部７ｔに対応した位置である。本実施形態では、レギュレータ１０を装着した状態の炭酸ガスボンベ３が位置決め部１５により位置決めされることで、レギュレータ１０が備える吐出ノズル１０ａの流路軸心が、設置状態における中仕切７の流路貫通部７ｔに取り付けられた流路接続体９の流路軸心と一致する位置となる。これにより、先端部にレギュレータ１０が装着された状態の炭酸ガスボンベ３をボンベ収容部５ｂに収容するだけで、中仕切７をボンベ収容部５ｂの上面に被せる際に、レギュレータ１０が備える吐出ノズル１０ａが、中仕切７が備える流路接続体９に適切に接続されるため、炭酸入浴装置１の設置作業が容易となる。
【００３４】
なお、本実施形態では、吐出ノズル１０ａが流路接続体９に直接接続されるものを例示しているが、吐出ノズル１０ａと流路接続体９との間を通流ホースにより接続してもよい。この場合、ボンベ保持位置は、必ずしもレギュレータ１０が備える吐出ノズル１０ａの流路軸心が、設置状態における中仕切７の流路貫通部７ｔに取り付けられた流路接続体９の流路軸心と一致する位置である必要はなく、当該通流ホースの長さの範囲で流路貫通部７ｔに対応した位置であればよい。
【００３５】
図３〜図５に示すように、位置決め部１５は、炭酸ガスボンベ３に装着されているレギュレータ１０に当接する回転規制部１６と、炭酸ガスボンベ３を支持するボンベ支持体１７とを備えている。
【００３６】
図４及び図５に示すように、回転規制部１６は、レギュレータ１０の平面視形状に対応した形状の立壁１６ｈ及び立壁１６ｈの下端が接続されている底壁１６ｂにて構成されている。回転規制部１６の立壁１６ｈは、レギュレータ１０の平面視での外周部のうちボンベ取付部１０ｂを除く形状に形成されている。本実施形態では、レギュレータ１０が略直方体形状であるため、立壁１６ｈは平面視コの字状に形成され、底壁１６ｂは平面状に形成されている。立壁１６ｈがレギュレータ１０の側面に当接し、底壁１６ｂがレギュレータ１０の底面に当接することで、炭酸ガスボンベ３の軸心回りの回転が規制される。なお、本実施形態の回転規制部１６は、炭酸ガスボンベ３の軸心回りの回転を規制するだけでなく、炭酸ガスボンベ３の軸心方向の移動も規制する。
【００３７】
図３〜図５に示すように、ボンベ支持体１７には、凹み方向が下向きの凹入部１７ａが形成されている。凹入部１７ａの内周面は、炭酸ガスボンベ３の外周面の形状に対応した形状となっており、凹入部１７ａに炭酸ガスボンベ３の少なくとも中央部分が嵌まり込んだ状態で、かつ、炭酸ガスボンベ３を軸心方向の移動を許容する状態で支持している。これにより、炭酸ガスＧの内容量が異なる、長さの異なる炭酸ガスボンベを位置決めされた状態で収容することが可能である。なお、本実施形態では、凹入部１７ａの炭酸ガスボンベ３の後端部に対応する端部は、炭酸ガスボンベ３の後端部の外周面の形状に対応した形状に形成されている。
【００３８】
そして、設置状態において、レギュレータ１０を装着した状態の炭酸ガスボンベ３は、ボンベ支持体１７により横倒れ姿勢の炭酸ガスボンベ３の胴部分が支持されるとともに、レギュレータ１０の下端面が回転規制部１６の底壁１６ｂに支持されている。本実施形態では、レギュレータ１０の炭酸ガスボンベ３の軸心方向の位置が回転規制部１６の立壁１６ｈにより規定されることで、凹入部１７ａに対する炭酸ガスボンベ３の軸心方向の位置も規定されている。
【００３９】
ボンベ支持体１７は、ボンベ収容部５ｂの内周面に熱伝導率が０．０２Ｗ／（ｍ・ｋ）以上０．０５Ｗ／（ｍ・ｋ）以下の断熱材料にて構成されていることが好ましい。これにより、炭酸ガスボンベ３から炭酸ガスＧが流出することで炭酸ガスボンベ３の外周部の温度が低下しても、その冷熱が浴槽２内の湯水Ｗに伝導することを極力抑制できる。本実施形態では、熱伝導率が０．０２Ｗ／（ｍ・ｋ）程度の発泡プラスチック系の断熱材料であるウレタンフォームを採用している。
【００４０】
〔別の実施形態〕
以上、考案者によってなされた考案を考案の実施の形態に基づき具体的に説明したが、本考案は上記実施形態に限定されるものではなく、その要旨を逸脱しない範囲で種々変更可能である。以下、本考案の別実施形態を例示する。上記実施形態及び下記実施形態は、矛盾の生じない範囲で組み合わすことができる。
【００４１】
（１）上記実施形態では、単一の容器の形状が平面視略矩形状のもの例示したが、容器の形状はこれに限定されない。例えば、単一の容器の形状として平面視円形状のものや、平面視楕円形状であってもよい。
【００４２】
（２）上記実施形態では、凹入部１７ａは、ボンベ収容部５ｂの底面と炭酸ガスボンベ３の軸心とが平行になる姿勢で炭酸ガスボンベ３を支持するものを例示したが、例えば、ボンベ収容部５ｂの底面と炭酸ガスボンベ３の軸心とが傾斜する傾斜姿勢にて炭酸ガスボンベ３を支持するものであってもよい。
【００４３】
（３）上記実施形態では、ボンベ支持体１７が発泡プラスチック系の断熱材料にて構成されたものを例示したが、断熱材料としては、グラスウールなどの鉱物系の繊維系断熱材料や、セルロースファイバーなどの木質系の繊維系断熱材料であってもよい。
【００４４】
（４）上記実施形態では、単一の容器が仕切体を備えたものを例示したが、単一の容器は、仕切体を備えなくてもよい。また、仕切体を備える場合には、上記実施形態のように分離自在としてもよいが、支持体と支持部とを一体的に形成してもてもよい。
【００４５】
（５）上記実施形態では、支持部が単一の噴出部を支持するものを例示したが、支持部が複数の噴出部を支持する構成であってもよい。
【００４６】
（６）上記実施形態では、噴出部が長尺状の筒体に構成されたものを例示したが、これに代えて、噴出部が球形状に構成されたものであってもよい。この場合、支持部は、球形状の噴出部の少なくとも上方側部分（好ましくは全体表面積の１／４以上の面積となる部分）が露出する状態で支持するように構成されているのが好ましい。
【００４７】
（７）上記実施形態では、位置決め部が、回転規制部及びボンベ支持体の双方を備えたものを例示したが、位置決め部は、回転規制部又はボンベ支持体のいずれか一方を備えていなくてもよい。位置決め部がボンベ支持体を備えない構成の場合、ボンベ支持体を回転規制部のみを備える場合、上記実施形態と同様に、回転規制部が、炭酸ガスボンベの軸心方向の移動をも規制するように構成するのが好ましい。
【００４８】
（８）上記実施形態では、減圧部から流出する炭酸ガスを直接噴出部に通流させる構成を例示したが、減圧部と噴出部との間にスピードコントローラ（流量調整弁）を設けてもよい。この場合、流量の調節を容器の外部から操作できるように構成するのが好ましい。
【符号の説明】
【００４９】
Ｗ    湯水
Ｇ    炭酸ガス
Ｌ    ガス通流路
１    炭酸入浴装置
２    浴槽
３    炭酸ガスボンベ
４    噴出部
５    単一の容器
５ａ  支持部
５ｂ  ボンベ収容部
７    仕切体
７ｔ  流路貫通部
９    流路接続体
１０  減圧部
１５  位置決め部
１６  回転規制部
１７  ボンベ支持体
１７ａ  凹入部
【図１】
0003200120.tif 000003
【図２】
0003200120.tif 000004
【図３】
0003200120.tif 000005
【図４】
0003200120.tif 000006
【図５】
0003200120.tif 000007